(57)【要約】【課題】本発明は、バッテリを便利に着脱することができる電子装置を提供することを目的とする。【解決手段】本発明の電子装置は、電子装置本体と、前記電子装置本体に着脱可能に装着されるバッテリと、前記電子装置本体に取り付けられて前記バッテリを当止する当止部材とを備え、前記電子装置本体には、前記バッテリを収容するための収容部が設けられ、前記当止部材は、前記収容部の片側に取り付けられ、前記当止部材は、第一方向に沿って弾性移動することができ、前記当止部材が弾性回復すると前記バッテリを当止して、前記バッテリが前記第一方向に垂直な第二方向に沿って移動することを防止し、前記バッテリ及び前記電子装置本体には互いに係合する係合構造が設けられて、前記バッテリが前記第二方向に沿って移動するか、又は前記バッテリが前記第一方向及び前記第二方向に垂直な第三方向に沿って移動することを防止する。【選択図】図１
2013030164.tif 000002
【特許請求の範囲】
【請求項１】
電子装置本体と、前記電子装置本体に着脱可能に装着されるバッテリと、前記電子装置本体に取り付けられて前記バッテリを当止する当止部材と、を備えてなる電子装置であって、
前記電子装置本体には、前記バッテリを収容するための収容部が設けられ、前記当止部材は、前記収容部の片側に取り付けられ、前記当止部材は、第一方向に沿って弾性移動することができ、前記当止部材は、弾性回復すると前記バッテリを当止して、前記バッテリが前記第一方向に垂直な第二方向に沿って移動することを防止し、
前記バッテリ及び前記電子装置本体には互いに係合する係合構造が設けられて、前記バッテリが前記第二方向に沿って移動するか、又は前記バッテリが前記第一方向及び前記第二方向に垂直な第三方向に沿って移動することを防止することを特徴とする電子装置。
【請求項２】
前記当止部材は、細長い本体部と、前記本体部の底面から下に向かって垂直に突出するポストと、前記ポストを囲むように設けられるコイルばねと、を備え、前記電子装置本体の前記収容部に近い箇所には、前記当止部材を収容するスロットが設けられることを特徴とする請求項１に記載の電子装置。
【請求項３】
前記電子装置本体は、前記電子装置本体の外表面から凹んで形成される階段部を備え、前記スロットは、前記階段部に設けられることを特徴とする請求項２に記載の電子装置。
【請求項４】
前記バッテリは、バッテリ本体及び前記バッテリ本体の表面に設けられるカバーを備え、前記カバーは、前記バッテリ本体から突出するフランジを備え、前記フランジの幅は、前記階段部の幅と同じであり、前記カバーは、前記電子装置本体の収容部を覆うことを特徴とする請求項３に記載の電子装置。
【請求項５】
前記収容部は、前記収容部の底部に位置する底板を備え、前記底板には、突出部が形成され、前記バッテリの前記カバーが設けられている表面の反対側の表面には、前記突出部と係合するための凹部が設けられることを特徴とする請求項４に記載の電子装置。
【請求項６】
前記収容部は、前記底板に直交する後壁を備え、前記後壁には、フックスロットが設けられ、前記バッテリには、前記フックスロットに係合するフックが形成されることを特徴とする請求項５に記載の電子装置。
【請求項７】
前記収容部は、前記収容部の片側に位置し且つ前記後壁に直交する側壁を備え、前記側壁には、接続開口が開設され、前記接続開口には、第一コネクターが設置され、前記バッテリには、前記接続開口内に延伸して前記第一コネクターにドッキングする第二コネクターが設置されることを特徴とする請求項６に記載の電子装置。
【発明の詳細な説明】
【技術分野】
【０００１】
本発明は、電子装置に関するものであり、特に着脱可能なバッテリを備える電子装置に関するものである。
【背景技術】
【０００２】
携帯式電子装置には、一般的に、電力を供給するために用いられるバッテリが搭載されている。バッテリ及びバッテリ収容部に、互いに係合する係合構造を設けて、バッテリをバッテリ収容部に係合収容し、且つカバー及び電子装置本体に、互いに係合する係合構造を設けて、カバーを電子装置本体に係合させてバッテリ収容部を覆うことにより、バッテリがバッテリ収容部から出ることを防止する。したがって、バッテリの交換及び着脱を実現するために、ユーザーは、電子装置本体からカバーを取り外してから、バッテリをバッテリ収容部から取り外さねばならないので、使用するのに不便である。
【発明の概要】
【発明が解決しようとする課題】
【０００３】
本発明の目的は、前記課題を解決し、バッテリを便利に着脱することができる電子装置を提供することである。
【課題を解決するための手段】
【０００４】
本発明に係る電子装置は、電子装置本体と、前記電子装置本体に着脱可能に装着されるバッテリと、前記電子装置本体に取り付けられて前記バッテリを当止する当止部材とを備え、前記電子装置本体には、前記バッテリを収容するための収容部が設けられ、前記当止部材は、前記収容部の片側に取り付けられ、前記当止部材は、第一方向に沿って弾性移動することができ、前記当止部材は、弾性回復すると前記バッテリを当止して、前記バッテリが前記第一方向に垂直な第二方向に沿って移動することを防止し、前記バッテリ及び前記電子装置本体には互いに係合する係合構造が設けられて、前記バッテリが前記第二方向に沿って移動するか、又は前記バッテリが前記第一方向及び前記第二方向に垂直な第三方向に沿って移動することを防止する。
【発明の効果】
【０００５】
従来の技術に比べて、本発明の電子装置は、弾性移動する当止部材を備え、前記当止部材が弾性回復するとバッテリを当止して、前記バッテリが前記電子装置本体から出ることを防止し、前記バッテリと前記当止部材とが係合して、前記バッテリを便利に着脱することができる。
【図面の簡単な説明】
【０００６】
【図１】本発明の実施形態に係る電子装置の部分立体分解図である。
【図２】図１に示す電子装置の別の角度からの部分立体分解図である。
【図３】図１に示す電子装置のバッテリの別の角度からの拡大図である。
【図４】図１に示す電子装置の局部拡大図である。
【図５】図１に示す電子装置の組立図である。
【図６】図５に示す電子装置の別の角度からの局部断面図である。
【発明を実施するための形態】
【０００７】
以下、図面を参照して、本発明の実施形態について説明する。
【０００８】
本発明の実施形態に係る電子装置は、ノートパソコン、タブレット、携帯電話などのような携帯式電子装置である。
【０００９】
図１を参照すると、本発明の実施形態に係る電子装置は、電子装置本体１０と、前記電子装置本体１０に装着することができる当止部材３０と、バッテリ５０と、を備える。
【００１０】
図１、図２及び図４を参照すると、前記電子装置本体１０は、上表面１１及び側面１２を備える。前記電子装置本体１０の上表面１１と側面１２との接続箇所には、前記バッテリ５０を収容するための収容部１９が設けられる。前記収容部１９は、前記収容部１９の底部に位置する底板１５と、前記収容部１９の対向する両側に位置し且つ互いに平行な第一側壁１４及び第二側壁１７と、前記第一側壁１４及び前記第二側壁１７の間に垂直に接続される後壁１３と、を備え、前記底板１５、前記後壁１３及び前記第一側壁１４は、互いに直交する。前記底板１５には、複数の細長い突出部１５２が形成される。前記突出部１５２の延在方向は、前記第一側壁１４に平行である。前記後壁１３には、Ｌ字状のフックスロット１３２が設けられており、前記フックスロット１３２の末端は、前記第一側壁１４に向かって延在する（図６を参照）。前記第一側壁１４には、接続開口１４２が開設される。前記接続開口１４２には、第一コネクター１４５が設置される。前記電子装置本体１０の前記第二側壁１７に近い箇所には、前記電子装置本体１０の上表面１１及び側面１２から凹んで形成される階段部１７５が設けられる。前記階段部１７５には、前記第二側壁１７に平行な方向に向かって延在するスロット１７２が設置され、前記スロット１７２の底部には、２つのロッキングホール１７９５が開設され、前記スロット１７２の対向する２つの側面には、２つの保持孔１７２２が開設される。
【００１１】
前記当止部材３０は、細長い本体部３１と、前記本体部３１の底面から下に向かって垂直に突出する２つのポスト３２と、２つの前記ポスト３２を囲むように設けられる２つのコイルばね３５と、前記本体部３１の長手方向の両側に設置される保持部３７と、を備える。
【００１２】
図１、図３及び図６を参照すると、前記バッテリ５０は、バッテリ本体５３と、前記バッテリ本体５３の上表面に設けられるカバー５１と、を備える。前記カバー５１は、前記バッテリ本体５３の上表面の片側から突出するフランジ５９を備える。前記フランジ５９の幅は、前記階段部１７５の幅と同じである。前記バッテリ本体５３の下表面には、複数の前記突出部１５２にそれぞれに対応する複数のＬ字状の凹部５３２が設けられる。前記バッテリ本体５３の後壁には、２つの前記フックスロット１３２にそれぞれに対応する２つのＬ字状のフック５３５が形成される。前記バッテリ本体５３の、前記フランジ５９から離れている側壁には、第二コネクター５３７が設置される。
【００１３】
以下、図５及び図６を参照して、前記バッテリ５０を前記電子装置本体１０に装着する過程を説明する。前記当止部材３０は、前記スロット１７２に取り付けられ、前記当止部材３０の２つの保持部３７は、２つの前記保持孔１７２２内に上下動作可能に収容され、前記コイルばね３５の弾性作用によって、前記当止部材３０は、前記底板１５に垂直な方向に沿って弾性移動することができる。前記バッテリ５０は、前記収容部１９に装着され、前記バッテリ５０の２つのフック５３５は、前記収容部１９の２つのフックスロット１３２に差し込まれ、前記収容部１９の複数の突出部１５２は、前記バッテリ５０の複数の凹部５３２にそれぞれ収容され、前記バッテリ５０の第二コネクター５３７は、前記接続開口１４２に対向する。前記バッテリ５０のフランジ５９が、前記当止部材３０を下に向かって押圧するので、前記当止部材３０は、下に向かって弾性移動する。前記第一側壁１４に向かって前記バッテリ５０を横向きに移動させると、前記バッテリ５０の第二コネクター５３７は前記接続開口１４２内に延伸して前記第一コネクター１４５にドッキングし、前記バッテリ５０のフック５３５は、前記収容部１９のフックスロット１３２に係合し、前記収容部１９の突出部１５２も前記バッテリ５０の凹部５３２に対して横向きに移動する。この際、前記バッテリ５０のフランジ５９は横向きに移動して前記当止部材３０から離れて、これにより、前記当止部材３０が上に向かって弾性移動して、前記当止部材３０の上表面と前記電子装置本体１０の上表面１１とは、同じ平面に位置する。このようにして、前記バッテリ５０は前記電子装置本体１０の収容部１９に収容される。前記当止部材３０は、当止状態になって、前記バッテリ５０のフランジ５９を当止し、前記バッテリ５０のカバー５１は、前記収容部１９を覆い、前記電子装置本体１０の外表面は、平坦な表面を呈する。
【００１４】
前記バッテリ５０を取り外す場合、前記当止部材３０を押圧してから、前記第二側壁１７に向かって前記バッテリ５０を横向きに移動させることにより、前記バッテリ５０を前記電子装置本体１０から取り外すことができる。
【００１５】
前記バッテリ５０を前記電子装置本体１０に装着すると、前記底板１５の突出部１５２は、前記バッテリ５０の凹部５３２に係合するので、前記バッテリ５０を、前記第一側壁１４に平行な方向に沿って移動しないようにする。また、前記バッテリ５０を前記電子装置本体１０に装着すると、前記バッテリ５０のフック５３５は、前記収容部１９の後壁１３のフックスロット１３２に係合するので、前記バッテリ５０を、前記第一側壁１４に平行な方向及び前記底板１５に垂直な方向に沿って移動しないようにする。
【００１６】
他の実施形態において、前記当止部材３０は、前記電子装置本体１０の側面１２に設置することができ、前記突出部１５２及び前記凹部５３２の位置と前記フックスロット１３２及び前記フック５３５の位置とを、互いに替えることができる。また、前記突出部１５２を前記後壁１３に形成し、前記フックスロット１３２を前記底板１５に設けて、前記凹部５３２及び前記フック５３５を前記バッテリ５０の対応する位置に設けることができる。
【００１７】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、以下の特許請求の範囲から決まる。
【符号の説明】
【００１８】
１０  電子装置本体
１１  上表面
１２  側面
１３  後壁
１４  第一側壁
１５  底板
１７  第二側壁
１９  収容部
３０  当止部材
３１  本体部
３２  ポスト
３５  コイルばね
３７  保持部
５０  バッテリ
５１  カバー
５３  バッテリ本体
５９  フランジ
１３２  フックスロット
１４２  接続開口
１４５  第一コネクター
１５２  突出部
１７２  スロット
１７５  階段部
５３２  凹部
５３５  フック
５３７  第二コネクター
１７２２  保持孔
１７９５  ロッキングホール
【図１】
2013030164.tif 000003
【図２】
2013030164.tif 000004
【図３】
2013030164.tif 000005
【図４】
2013030164.tif 000006
【図５】
2013030164.tif 000007
【図６】
2013030164.tif 000008